(57)【特許請求の範囲】
【請求項１】
少なくとも磁気ギャップを有する磁気回路と、この磁気回路が装着されるフレームと、上方にダイアフラム部を有し下方の開放端側に上記磁気回路の磁気ギャップに挿入されるボイスコイル部を設けた上記開放端形状が細長形の断面が逆Ｕ字状の振動体と、磁気ギャップの存在しない部位において、この振動体のボイスコイル部を挟持する接着はずれ防止機能を有する平面状の補強リブと、内周が上記振動体の外側に結合され外周が上記フレームに結合されるエッジとで構成されたスピーカ。
【請求項２】
隙間を設けて対向して複数個直線的に配置された磁気回路の上記隙間内に補強リブを接触しないように配置した請求項１に記載のスピーカ。
【発明の詳細な説明】
【０００１】
【発明の属する技術分野】
本発明は各種映像・音響機器に使用される細長形のスピーカに関するものである。
【０００２】
【従来の技術】
近年、テレビジョン受像機の高音質化、ワイドディスプレイ化等によって、ディスプレイの両側に配置されるトラック型、楕円型などの細長形のスピーカの高性能化が要求されている。
【０００３】
従来の細長形のスピーカを図４〜図６により説明する。図４は分解斜視図であり、図５は要部である振動体の斜視図、図６は振動体の要部の補強リブの斜視図である。
【０００４】
同図によると、１は短径側が逆Ｕ字状で下方開放端側にコイル１ｃを巻回したボイスコイル部１ｂと、Ｕ字状の上方の頂点側をダイアフラム部１ａとした細長形の振動体であり、硬質アルミ、紙、ガラス繊維入樹脂等のシートを成型してダイアフラム部１ａとボイスコイル部１ｂを一体に形成したものである。８は補強リブであり、Ｕ字状の振動体１の内側に結合されている。
【０００５】
２はエッジであり、ダイアフラム部１ａの外周に内周が結合され、外周がフレーム３に結合されている。また、７は上記補強リブ８に結合されたダンパーであり、このダンパー７は上記フレーム３に結合されて、上記振動体１を振動自在に保持している。
【０００６】
６は上記フレーム３の中央凹部に配設されたヨーク４と磁石５からなるとともに磁気ギャップ６ａを形成した磁気回路である。この磁気回路６は対向した一対のものが直線的に複数個隙間６ｂを設けて配設され、上記磁気ギャップ６ａに上記振動体１のボイスコイル部１ｂがはめ込まれるように振動体１は補強リブ８を介してダンパー７に支持されている。なお、１０は覆い板であり、エッジ２をフレーム３とで挟持している。
【０００７】
以上のように構成されたスピーカは外部よりの音声信号を上記ボイスコイル部１ｂのコイル１ｃに流すことによって振動体１を上下動させダイアフラム部１ａを振動させて音波を放射するものである。
【０００８】
【発明が解決しようとする課題】
しかしながら、上記振動体１は上述のごとくシートを逆Ｕ字状に成形するものであるため、シート状態に戻ろうとするスプリングバック力が働き内側で結合している補強リブ８と接着はずれを発生する可能性や、補強リブ８との接着作業時に接着剤が完全に硬化するまで治工具等で保持する必要があり、生産性が悪いという課題を有していた。
【０００９】
本発明は上記課題を解決し、品質の向上、生産性の向上に寄与するスピーカの提供を可能とするものである。
【００１０】
【課題を解決するための手段】
上記課題を解決するために本発明のスピーカは、少なくとも磁気ギャップを有する磁気回路と、この磁気回路が装着されるフレームと、上方にダイアフラム部を有し下方の開放端側に上記磁気回路の磁気ギャップに挿入されるボイスコイル部を設けた細長形の断面が逆Ｕ字状の振動体と、磁気ギャップの存在しない部位において、この振動体のボイスコイル部を挟持する接着はずれ防止機能を有する平面状の補強リブと、内周が上記振動体の外側に結合され外周が上記フレームに結合されるエッジとで構成するものであり、補強リブによって振動体のボイスコイル部を挟持したので補強リブ自体によって振動体のスプリングバック力を抑止して振動体からの補強リブのはずれを防止するとともに、生産性の向上にも寄与するものである。
【００１１】
【発明の実施の形態】
本発明の請求項１に記載の発明は、少なくとも磁気ギャップを有する磁気回路と、この磁気回路が装着されるフレームと、上方にダイアフラム部を有し下方の開放端側に上記磁気回路の磁気ギャップに挿入されるボイスコイル部を設けた上記開放端形状が細長形の断面が逆Ｕ字状の振動体と、磁気ギャップの存在しない部位において、この振動体の上記ボイスコイル部を挟持する接着はずれ防止機能を有する平面状の補強リブと、内周が上記振動体の外側に結合され外周が上記フレームに結合されるエッジとで構成して、補強リブ自体でも振動体のスプリングバック力を抑止する機能を持たせることによって品質の向上と、生産性の向上を図ったものである。
【００１２】
本発明の請求項２に記載の発明は、隙間を設けて対向して複数個直線的に配置された磁気回路の上記隙間内に補強リブを接触しないように配置したものであり、スピーカの大型化を伴わずに請求項１の効果を得ることができるものである。
【００１３】
以下、本発明のスピーカの一実施の形態について図１〜図３により説明する。なお、説明にあたっては、従来技術と同一部分は同一番号を付与し説明を省略して説明する。
【００１４】
図１は本発明のスピーカの一実施の形態の分解斜視図であり、図２は同要部である振動体と補強リブの結合状態を説明する斜視図であり、図３は同要部である補強リブの斜視図である。
【００１５】
同図によると８ａは補強リブであり、８ｂは振動体１の内側内径部分と外周が略一致した内径接合部であり、８ｃはスリット８ｄを介してその両外側に突出して設けられた広がり防止部である。振動体１のボイスコイル部１ｂは上記スリット８ｄにはめ込まれて振動体１は補強リブ８ａに挟持されるとともに、内径接合部８ｂおよび広がり防止部８ｃにおいて接着結合される。
【００１６】
以上のように広がり防止部８ｃによっても振動体１の外側から振動体１のスプリングバック力を抑止するようにしたので補強リブ８ａは振動体１を挟持して接着はずれを防止して品質の向上を図るとともに、従来補強リブ８と振動体１の結合では振動体１のスプリングバックのために接着剤の完全硬化までスピーカの組立に使用することはできなかったが、ある程度の硬化後は組立途中において完全硬化させれば良く生産性の向上、生産コストの削減も可能となるものである。
【００１７】
なお補強リブ８ａは従来の補強リブ８より広がり防止部８ｃ分幅広になるが、磁気回路６の対向する一対のものの長さを統一することで隙間６ｂの位置をあわせ、この隙間６ｂの位置に補強リブ８ａを配置すれば、対向する磁気回路６間の幅を広げて大型化を図ることなくスピーカの提供が行えるものである。
【００１８】
【発明の効果】
以上のように本発明のスピーカは、振動体のボイスコイル部を挟持した補強リブ自体によって振動体のスプリングバック力を抑止して振動体からの補強リブのはずれを防止するとともに、組立の効率化にも寄与させられるものである。
【図面の簡単な説明】
【図１】  本発明のスピーカの一実施の形態の分解斜視図
【図２】  同要部である振動体と補強リブの結合状態を説明する斜視図
【図３】  同要部である補強リブの斜視図
【図４】  従来のスピーカの分解斜視図
【図５】  同要部である振動体の斜視図
【図６】  同振動体の要部の補強リブの斜視図
【符号の説明】
１  振動体
１ａ  ダイアフラム部
１ｂ  ボイスコイル部
１ｃ  コイル
２  エッジ
３  フレーム
６  磁気回路
６ａ  磁気ギャップ
７  ダンパー
８ａ  補強リブ
【図１】
0003879283.tif 000002
【図２】
0003879283.tif 000003
【図３】
0003879283.tif 000004
【図４】
0003879283.tif 000005
【図５】
0003879283.tif 000006
【図６】
0003879283.tif 000007